(57)【要約】【課題】本発明は、サイズが異なる種々の支持体と被保持物に対して適用できる保持具を提供することを目的とする。【解決手段】保持具１は、直方体形状のクッション部材２と、クッション部材２の外周面に結合されるリング部材３とを備える。クッション部材２は、上下に連通する溝状の凹部２ａを両面に有し、左右の側面に結束バンド４が通る隙間Ｐを形成するバンド用凹部２ｂを有する。保持具１は、隙間Ｐに挿通させた結束バンド４によって支持体９１に被保持物９２を結束する際にこれらの間に挟まれて用いられる。クッション部材２は、弾性変形して支持体９１と被保持物９２との密着面が増大する。保持具１は、クッション部材２が弾性変形するので、サイズが異なる種々の支持体９１と被保持物９２に適用できる。リング部材３によって結束バンド４の配索形状の拡がりが規制されるので、支持体９１および被保持物９２との接触面積が増し、より堅固に結束できる。【選択図】図５
2017067192.tif 000002
【特許請求の範囲】
【請求項１】
柱状の支持体に柱状の被保持物を結束バンドを用いて結束して保持させる保持具であって、
弾性材で成る直方体形状のクッション部材と、前記クッション部材の外周面に結合されるリング部材と、を備え、
前記クッション部材は、対向する２つの平面を前面および後面としたとき、前記２つの平面に上面視で弧状の凹部を有し、かつ、左側および右側の２つの側面に前記結束バンドが通るためのバンド用凹部を有し、
前記リング部材は、前記バンド用凹部を通る前記結束バンドの外面に当接して該結束バンドの拡がりを規制することを特徴とする保持具。
【請求項２】
前記クッション部材は、上側および下側の端面に前記リング部材を位置決めするための係合溝を有することを特徴とする請求項１に記載の保持具。
【請求項３】
前記クッション部材は、前記２つの平面間を貫通する貫通孔を有することを特徴とする請求項１または請求項２に記載の保持具。
【発明の詳細な説明】
【技術分野】
【０００１】
本発明は、柱状の支持体に柱状の被保持物を結束する際に用いられる保持具に関する。
【背景技術】
【０００２】
従来から自転車のフレームなどに部品を取り付ける固定具が知られている（例えば、特許文献１参照）。この固定具は、フレームの径の違いに対応できるように、フレームに巻き付けられるクランプバンドとクランプバンドによる締め付け径を変化させる締め付け具を備えている。
【０００３】
また、ベルトを使って２つの板状の部材を重ねて連結する連結具が知られている（例えば、特許文献２参照）。この連結具は、ベルトを挿通する孔と、挿通したベルトをもとの方向に折り返すために挿通する孔とを有し、同じ幅を有する２つの板状の部材が互いに重ねられて上下に揃った左右の端部にそれぞれあてがわれるように左右１対で用いられる。板状の２つの部材は、左右の各連結具の孔を通して一周するベルトによって連結される。
【先行技術文献】
【特許文献】
【０００４】
【特許文献１】特開２００６−３４９１６４号公報
【特許文献２】特開２０１５−２４７９１号公報
【発明の概要】
【発明が解決しようとする課題】
【０００５】
上述した特許文献１の固定具や特許文献２の連結具は、いずれも特定の形状の被固定物を固定または連結するものであり、用途が限られている。
【０００６】
本発明は、サイズが異なる種々の支持体と被保持物に対してこれらを結束する際に適用できる保持具を提供することを目的とする。
【課題を解決するための手段】
【０００７】
上記課題を達成するために、本発明の保持具は、柱状の支持体に柱状の被保持物を結束バンドを用いて結束して保持させる保持具であって、弾性材で成る直方体形状のクッション部材と、クッション部材の外周面に結合されるリング部材と、を備え、クッション部材は、対向する２つの平面を前面および後面としたとき、２つの平面に上面視で弧状の凹部を有し、かつ、左側および右側の２つの側面に結束バンドが通るためのバンド用凹部を有し、リング部材は、バンド用凹部を通る結束バンドの外面に当接して該結束バンドの拡がりを規制することを特徴とする。
【０００８】
この保持具において、クッション部材は、上側および下側の端面にリング部材を位置決めするための係合溝を有することが好ましい。
【０００９】
この保持具において、クッション部材は、２つの平面間を貫通する貫通孔を有することが好ましい。
【発明の効果】
【００１０】
本発明の保持具によれば、リング部材が結束バンドの配索形状を規制して大きな支持体や被保持物に対する結束バンドの接触面積を確保し、クッション部材が弾性変形して密着面を増大するので、サイズが異なる種々の支持体と被保持物に適用できる。
【図面の簡単な説明】
【００１１】
【図１】（ａ）は本発明の第１の実施形態に係る保持具の斜視図、（ｂ）は同保持具に結束バンドを挿通した状態の斜視図。
【図２】（ａ）は同保持具のクッション部材の斜視図、（ｂ）は同保持具のリング部材の斜視図、（ｃ）は同保持具の正面図。
【図３】（ａ）は同保持具のクッション部材の要部斜視図、（ｂ）は（ａ）の要部に対応するリング部材の要部破断斜視図、（ｃ）は（ａ）のクッション部材と（ｂ）のリング部材とが組み合わされた状態の斜視図。
【図４】同保持具の使用例を説明する上面図。
【図５】同保持具の使用例を説明する斜視図。
【図６】同保持具の他の使用例を説明する斜視図。
【図７】（ａ）は同保持具のさらに他の使用例における配置を示す上面図、（ｂ）は（ａ）の状態から結束された状態の上面図。
【図８】図７（ａ）に対応する斜視図。
【図９】同保持具のさらに他の使用例を説明する斜視図。
【図１０】（ａ）は同保持具のさらに他の使用例における配置を示す上面図、（ｂ）は（ａ）の状態から結束された状態の上面図。
【図１１】（ａ）は第２の実施形態に係る保持具の斜視図、（ｂ）は同保持具のクッション部材の斜視図、（ｃ）は同保持具のリング部材の斜視図。
【図１２】（ａ）は同保持具の正面図、（ｂ）は同保持具の側面図、（ｃ）は同保持具の下面図。
【図１３】同保持具の使用例を説明する斜視図。
【発明を実施するための形態】
【００１２】
（第１の実施形態）
以下、本発明の一実施形態に係る保持具について、図面を参照して説明する。本明細書において、保持具とその各部の空間配置の説明のために、図中に示した上下左右等の方向を参照するが、保持具は、実空間における上下左右等の取付姿勢に関わりなく用いることができる。図１に示すように、保持具１は、弾性材で成る直方体形状のクッション部材２と、クッション部材２の外周面に結合されるリング部材３とを備えている。保持具１は、柱状の支持体に柱状の被保持物を結束バンド４を用いて結束して保持させる保持具である。リング部材３は矩形の枠体形状を有し、クッション部材２はリング部材３に嵌め込まれた状態にある。クッション部材２は、例えばシリコーンゴムなどの弾力性を有する樹脂で形成される。リング部材３は、例えば硬質ナイロン樹脂などの硬質の樹脂、または金属などで形成される。
【００１３】
クッション部材２は、対向する２つの平面を前面および後面としたとき、これらの両面に、上面視で弧状の凹部２ａを有し、かつ、左側および右側の２つの側面に結束バンド４が通るためのバンド用凹部２ｂを有している。リング部材３は、クッション部材２の前面と後面とで挟まれた空間にあってクッション部材２の外周面に結合されている。凹部２ａは、それぞれ上下に連通する溝状凹部と成っている。凹部２ａの底部の断面外形は、弧状であり、その曲線は、例えば、円、楕円、放物線などから切り取られた曲線、または、これらの曲線を組み合わせた任意の曲線であり、円弧状が単純で好適である。凹部２ａは、互いに異なる断面形状とすることができる。例えば、一方の断面形状の平均的な曲率半径が、他方の断面形状の平均的な曲率半径よりも大きくなるように凹部２ａを形成する。このようなクッション部材２は、保持具１を適用する支持体や被保持物の形状に合わせて、前後の向きを選択して用いることができる。凹部２ａの断面外形は、弧状のものに限られず、多角形形状や任意の形状とすることができる。
【００１４】
結束バンド４は、クッション部材２の左右のバンド用凹部２ｂとリング部材３との間に形成された隙間Ｐに挿通される。結束バンド４は、結束できるものであればよく、例えば面ファスナを有するバンドが好適に用いられる。また、締結用の金具を備えたバンドを用いることもできる。バンド状のものに限られず、例えば、１本の紐や複数本の紐などを用いることができる。
【００１５】
図２、図３に示すように、リング部材３の左右の辺３２の内側は平面であり、辺３２に対向するクッション部材２のバンド用凹部２ｂは、隙間Ｐを形成するように辺３２から離間している。クッション部材２は、上側および下側の端面にリング部材３を位置決めするための左右方向の係合溝２ｃを有する。また、リング部材３は、上下の辺３１の各内側に設けられたリブ状の左右方向の突起３ａを有している。係合溝２ｃと突起３ａとは、互いに嵌合する結合構造を成している。突起３ａが係合溝２ｃに嵌入してクッション部材２とリング部材３との互いの結合状態が維持される。クッション部材２とリング部材３との結合状態は、係合溝２ｃと突起３ａとの結合構造による場合に限られず、互いに外れない状態にされていればよい。例えば、突起と穴との係合構造や、接着剤を用いた接着構造などの任意の嵌め込み構造を用いることができる。クッション部材２とリング部材３とが互いに取り外し自在の場合、１つのリング部材３に対して、例えば、凹部２ａの形状の異なる複数種類のクッション部材２から１つを選択して組み合わせることができる。
【００１６】
図４、図５に示すように、保持具１は、クッション部材２とリング部材３とが互いに結合された状態で、支持体９１と被保持物９２との間に挟まれて用いられる。被保持物９２は、保持具１と結束バンド４とを用いて支持体９１に結束される。リング部材３は、その使用時に、支持体９１と被保持物９２とを結束する結束バンド４の空間配置形状（配索形状）の拡がりを規制する。すなわち、リング部材３は、バンド用凹部２ｂを通る結束バンド４の外面に当接して結束バンド４の拡がりを規制する。また、保持具１は、結束バンド４が挿通される互いに対となる隙間Ｐの相互の間隔が、隙間Ｐの互いの離間方向における支持体９１と被保持物９２のいずれかの幅よりも小さい場合に、好適に用いられる。図４、図５には、２つの隙間Ｐ間の距離が被保持物９２の幅よりも小さい例が示されており、この場合、リング部材３の位置において結束バンド４がリング部材３の内面を越えて拡がることがなく、結束バンド４の配索形状の拡がりが規制される。この拡がりの規制により、規制されていない場合に比べて、結束バンド４と支持体９１および被保持物９２との接触面積が増大し、より堅固に結束できる。
【００１７】
クッション部材２は、その使用時に、結束バンド４による締め付け力によって弾性変形して支持体９１および被保持物９２に対する密着面を増大させる。なお、互いに対となる隙間Ｐの相互の間隔が、隙間Ｐの互いの離間方向における支持体９１と被保持物９２の両方の幅よりも大きい場合、結束時の結束バンド４は、リング部材３から規制力を受けない自由状態になる。この場合、結束バンド４は、クッション部材２に対し、その幅方向から縮める圧縮力を及ぼす。このような支持体９１および被保持物９２に対して用いられる保持具１は、幅方向から圧縮されて変形したクッション部材２が支持体９１および被保持物９２に密着することにより、これらを堅固に結束することができる。いずれの場合であっても、リング部材３は、結束バンド４の配索形状の拡がりを規制し、また、結束バンド４が隙間Ｐに挿入されただけの緩められた状態においては、結束バンド４が保持具１から脱落するのを防止する。
【００１８】
本実施形態の保持具１によれば、結束バンド４による結束に際して、クッション部材２が弾性変形するので、サイズが異なる種々の支持体と被保持物に対して、がたや滑りなどのない安定した結束状態で、被保持物を支持体に固定することができる。また、この保持具１において、結束バンド４がリング部材３からの力を受けて結束バンド４の配索形状の拡がりが規制される場合、その規制によって、結束バンド４と支持体９１および被保持物９２との接触面積が増大し、より効果的に結束力を及ぼして支持体９１および被保持物９２を結束することができる。
【００１９】
図６は、保持具１の他の使用例を示す。保持具１のクッション部材２は、そのクッション部材２の両面間を貫通する貫通孔２ｄを有している。貫通孔２ｄは、被保持物９３が有する係合用突起９３ａを挿入して係合させるために用いられる。このような貫通孔２ｄを係合用に用いることにより、保持具１に被保持物９３を配置する際の位置決めを容易にし、また、被保持物９３の滑りを防止して、より弱い結束力であっても、被保持物９３を支持体９１に安定状態で保持させることができる。
【００２０】
図７、図８は、保持具１のさらに他の使用例を示す。保持具１のクッション部材２は、その前面の４隅に互いに同一平面を成す共面部２ｅを有し、その後面の４隅に互いに同一平面を成す共面部２ｅを有している。保持具１は、これらの共面部２ｅを用いて、四角い箱、携帯電話、スマートホンなどの平面を有する被保持物９２を支持体９１に保持させることができる。本使用例では、保持具１の前面側の溝状の凹部２ａに円管状の支持体９１を配し、保持具１の後面側の共面部２ｅに被保持物９２の平坦面９２ａを配して、これらを結束バンド４で互いに結束している。
【００２１】
図９は、保持具１のさらに他の使用例を示す。保持具１は、単一で用いるだけに限られず、本使用例で示すように、２つの保持具１を直列に用いて、被保持物９２を支持体９１に保持させることができる。保持具１は、複数のものを、直列させたり、並列させたり、任意に組合せて用いることができる。
【００２２】
図１０は、保持具１のさらに他の使用例を示す。本使用例では、保持具１の前面側の共面部２ｅに角管状の支持体９１を配し、保持具１の後面側の共面部２ｅに平坦面９２ａを有する被保持物９２を配して、これらを結束バンド４で互いに結束している。
【００２３】
（第２の実施形態）
図１１、図１２、図１３に示すように、第２の実施形態の保持具１は、第１の実施形態の保持具１において、クッション部材２の前面と後面の両面に、それぞれ左右に連通する溝状の凹部２ｆを有し、そのクッション部材２の上下の面に設けられたバンド用凹部２ｇとリング部材３との間に結束バンド４を挿通させる隙間Ｑを有するものである。突起３ａは、隙間Ｑを形成するための凹部３ｂを有する。
【００２４】
この保持具１において、凹部２ａ，２ｆの少なくとも１つは、他の凹部２ａ，２ｆの断面形状とは異なる断面形状とすることができ、また、任意の組合せで、異なる断面形状とすることができる。凹部２ａ，２ｆの断面形状、すなわち、これらの溝状凹部の底部の断面外形の平均的な曲率半径を表裏で、大中、中小などのように、異ならせることにより、保持具１の表裏配置や縦横配置を任意に選択して、支持体９１や被保持物９２の形状に合わせて、保持具１を適用することができる。
【００２５】
なお、本発明は、上記構成に限られることなく種々の変形が可能である。例えば、上述した各実施形態の構成を互いに組み合わせた構成とすることができる。リング部材３は、矩形のものに限られず、クッション部材２の外周面に結合されて結束バンド４の拡がりを規制できるものであればよい。クッション部材２の両面の弧状の凹部２ａは、そのいずれか一方または両方を、曲率半径の大きな弧（曲率半径が無限大の場合は直線）として、平坦面９２ａを有する被保持物９２（図７参照）専用の保持具１としてもよい。柱状の支持体または柱状の被保持物における柱状とは、少なくとも、保持具１に結束バンド４を用いて結束できる形状を有するという意味である。
【符号の説明】
【００２６】
１    保持具
２    クッション部材
２ａ，２ｆ    凹部
２ｂ，２ｇ    バンド用凹部
２ｃ    係合溝（結合構造）
２ｄ    貫通孔
２ｅ    共面部
３    リング部材
３ａ  突起（結合構造）
４    結束バンド
９１    支持体
９２，９３    被保持物
Ｐ，Ｑ    隙間
【図１】
2017067192.tif 000003
【図２】
2017067192.tif 000004
【図３】
2017067192.tif 000005
【図４】
2017067192.tif 000006
【図５】
2017067192.tif 000007
【図６】
2017067192.tif 000008
【図７】
2017067192.tif 000009
【図８】
2017067192.tif 000010
【図９】
2017067192.tif 000011
【図１０】
2017067192.tif 000012
【図１１】
2017067192.tif 000013
【図１２】
2017067192.tif 000014
【図１３】
2017067192.tif 000015